(57)【特許請求の範囲】
【請求項１】
第１の表示装置と音声入力部と、が設けられた第１のパネルと、
透光性のキーと画像情報を表示する第２の表示装置と音声出力部と、が設けられた第２のパネルと、
前記透光性のキーが操作されることにより、前記画像情報を変換する変換手段と、
前記第１の表示装置および前記第２の表示装置に表示される画像の向きを切り換える手段と、を有し、
前記第１の表示装置には掌の紋章の認証を行うためのエリアセンサが内蔵されており、
前記第２の表示装置は前記透光性のキーの下部に設けられていることを特徴とする携帯型の電子装置。
【請求項２】
第１の表示装置と音声入力部と、が設けられた第１のパネルと、
透光性のキーと画像情報を表示する第２の表示装置と音声出力部と、が設けられた第２のパネルと、
前記透光性のキーが操作されることにより、前記画像情報を変換する変換手段と、
前記第１の表示装置および前記第２の表示装置に表示される画像の向きを切り換える手段と、を有し、
前記第１の表示装置には掌の紋章の認証を行うためのエリアセンサが内蔵されており、
前記第２の表示装置は前記透光性のキーの下部に設けられており、
前記変換手段により変換された画像情報を記憶媒体に保存することを特徴とする携帯型の電子装置。
【請求項３】
請求項１または２において、
前記第２の表示装置は、ＥＬ表示装置であることを特徴とする携帯型の電子装置。
【請求項４】
請求項１乃至３のいずれか一において、
前記第１の表示装置が前記掌に覆われた状態で、前記透光性のキーを用いた第１の操作が行われることを特徴とする携帯型の電子装置。
【請求項５】
請求項１乃至４のいずれか一において、
前記第１の表示装置が前記掌に覆われた状態且つ前記透光性のキーを用いた第２の操作が行われている状態で、前記認証が行われることを特徴とする携帯型の電子装置。
【請求項６】
請求項１乃至５のいずれか一において、
前記切り換える手段は、前記第１のパネルと前記第２のパネルとが成す角度に応じて、切り換えを行うことを特徴とする携帯型の電子装置。
【請求項７】
請求項１乃至６のいずれか一において、
前記画像情報とは、文字、数字、または記号であることを特徴とする携帯型の電子装置。
【発明の詳細な説明】
【０００１】
【発明の属する技術分野】
本発明は、据置型電話、ファクシミリ、パーソナルコンピュータなどの情報端末、または、携帯電話、ＰＨＳ（Personal Handy Phone system）、ＰＤＡ（Personal Digital Assistant）などに代表される携帯情報端末、或いはインターネットに接続して情報の送受信を行う情報端末などの電子装置の使用方法に関する。尚、本明細書において携帯情報端末とは、利用者が携帯することが可能な電子装置であって、屋外または屋内において無線電話または有線電話または、インターネットを介してデータまたは情報の送受信が可能である電子装置を指す。
【０００２】
【従来の技術】
据置型電話、ファクシミリ、パーソナルコンピュータなどの情報端末、または、携帯電話装置（若しくは、単に携帯電話）に代表される携帯型の電子装置は、電話回線や無線通信回線及びインターネットなどの情報通信網の確立と、通話料金（または、接続料金）や電子装置の本体価格の低下と、その利便性があいまって急速に普及している。今日普及している情報端末または携帯型情報端末として機能する電子装置は、表示装置、通信回路、ＭＰＵ（マイクロプロセッサ）、半導体メモリーなどの記憶媒体、入力キーなどが備えられている。
【０００３】
従来、据置型電話装置を用い会話が主体であった通信回線は、上述のように情報通信網の発達と、情報端末の普及により、画像情報を含む多量のデータ通信が盛んに行われている。それは、パーソナルコンピュータを用いたデータや電子メールの送受信のみでなく、携帯電話装置を使った電子メールの送受信も可能となっている。
【０００４】
しかし、据置型電話やファクシミリなどの民生用途における情報端末や、携帯電話装置に代表される携帯型の電子装置は、外観上のデザインや外形寸法の制限により、不要と思われる機能は可能な限り削除されている。例えば、ディスクトップ型パーソナルコンピュータと同等にキーボードは、据置型電話や電子メールを送受信可能な携帯電話装置に備えられていない。
【０００５】
【発明が解決しようとする課題】
このような携帯電話装置やＰＤＡなど携帯性を考慮した電子装置では、入力キーの数は数字キーと特殊キーに対応した１２個程度が普通であり、漢字を含む日本語文字や特殊文字をデータとして入力するためには、入力モードを切り換えて複雑な操作をする必要があった。そのために、付属の取扱い説明書を参照する必要があり、操作方法を忘れてしまうと、スムーズに所望のデータを入力することができなかった。
【０００６】
本発明は、このような事実を鑑み、入力キーにより文字や数字を入力する場合の電子装置の使用方法において、その利便性を向上させることを目的とする。
【０００７】
【課題を解決するための手段】
本発明は、携帯電話装置に代表される携帯情報端末、パーソナルコンピュータやあ据置型電話装置に代表される情報端末などの電子装置において、情報を入力するための入力キーに表示装置を設け、当該表示装置によって操作キーに表示される文字、記号、数字で、利用者が入力キーを識別できるようにし、入力キーに表示された前記画像情報に従い、所定の情報を電子装置に入力することを特徴とする。このような構成によって、電子装置に備えられた入力キーの数が少なくても、利用者がスムーズな入力操作を行えるようにする。また、暗所においても利用者が操作キーを識別することができる。表示装置として好適に用いられるものはＥＬ表示装置であり、その他に液晶表示装置も適用可能である。尚、本明細書において、ＥＬ表示装置とは、エレクトロルミネッセンス（Electro Luminescence :以下、ＥＬと記す）材料を用いて画素部を形成した表示装置を指していう。
【０００８】
入力キーに画像情報を表示する手段と、画像情報を切り換える変換手段とを有する本発明の電子装置の使用方法は、入力キーに表示された画像情報に従い、所定の情報を電子装置に入力する、或いは、前記変換手段により画像情報を変換しながら、入力キーに表示された画像情報に従い、所定の情報を電子装置に入力することを特徴としている。
【０００９】
また、他の発明の構成は、入力キーに画像情報を表示する手段と、画像情報を切り換える変換手段とを有する電子装置を用い、入力キーに表示された画像情報に従い、所定の情報を記憶媒体に保存すること、或いは、前記変換手段により画像情報を変換しながら、入力キーに表示された画像情報に従い、所定の情報を記憶媒体に保存することを特徴としている。
【００１０】
本発明の好適な実施形態において、前記入力キーに画像情報を表示する手段には、ＥＬ表示装置を用いることが望ましい。
【００１１】
また、他の発明の構成は、透光性のキーと、該透光性のキーの下部に設けられ画像情報を表示するＥＬ表示装置とから成る入力手段と、画像情報を切り換える変換手段とを有し、変換手段により、画像情報を変化させ、ＥＬ表示装置が表示する当該画像情報を、前記入力手段により電子装置に入力することを特徴としている。
【００１２】
このような本発明の電子装置の使用方法は、所定の情報を無線電話回線に送信する場合に、または所定の情報を有線接続された電話回線に送信する場合に、または所定の情報をインターネッットに送信する場合に活用することができる。
【００１３】
【発明の実施の形態】
図１に示すのは携帯電話装置の一例であり、１０１は表示装置が組み込まれた第１の表示パネル、１０２は入力キーを備えた第２の表示パネルである。第１の表示パネル１０１と第２の表示パネル１０２とは、蝶番を用いて接続部１０３で接続されている。そして接続部１０３における、第１の表示パネル１０１の表示装置１０４が設けられている面と第２の表示パネル１０２の操作キー１０６が設けられている面との角度θは、任意に変えることができる。アンテナ１０９は、第１の表示パネル１０１に収納される構造であり、使用時には第１の表示パネル１０１から引き延ばすことが可能である。
【００１４】
第１の表示パネル１０１は表示装置１０４を有している。また、第１の表示パネル１０１には音声入力部１０８とアンテナ１０９が備えられている。一方、第２の表示パネル１０２には入力キー１０６、電源スイッチ１０７、音声出力部１０５が備えられている。
【００１５】
入力キー１０６は、透光性のキーと、各キーの下部に当該画像情報を表示する手段としてＥＬ表示装置が設けられている。すなわち、ＥＬ表示装置が示す画像情報を透光性のキーを通して認識できるようになっている。また、第２の表示パネル１０２には、その画像情報を切り換える変換キー１１０が備えられ、利用者はこのキーを操作することにより入力キー１０６に表示する画像情報を変換できる仕組みとなっている。
【００１６】
図８はこのような入力キーの構成を説明する斜視図であり、透光性のキー２２０に下部にＥＬ表示装置が設けられている。ここで使用するＥＬ表示装置は、単純マトリクス型若しくはアクティブマトリクス型のいずれも適用することが可能である。好適には、基板２０１上に画素部２０３と、当該画素部を駆動する駆動回路２０４、２０５が設けられたアクティブマトリクス駆動のＥＬ表示装置が適用される。アクティブマトリクス駆動するＥＬ表示装置の画素部にはＥＬ素子と、スイッチング用ＴＦＴと、ＥＬ駆動用ＴＦＴとを備えている。ＥＬ素子は２〜１０Ｖの駆動電圧を要するが、その発光効率を高め、消費電力化を図るためには、ＥＬ素子の発光層に三重項励起子化合物を含む材料で形成することは有効な手段として適用可能である。このような構成により、ＥＬ表示装置で表示される文字は、透光性のキー２２０を通して認識することができる。
【００１７】
図１０はＥＬ表示装置の外観を示す図である。ＥＬ表示装置は、各画素毎にＥＬ素子の発光を個別に制御して所定の文字パターンを形成し、画像情報として表示している。図１０で示すＥＬ表示装置の構成は、ＴＦＴを用いて駆動回路部２０４、２０５及び画素部２０３が形成された基板２０１は封止材２０２で封止されている。素子基板２０１の端には、入力端子２０８が設けられこの部分でＦＰＣ(Flexible Print Circuit)が接続される。入力端子２０８には外部回路から画像データ信号や各種タイミング信号及び電源を入力する端子が約５００μmピッチで設けられている。そして、配線２０９で駆動回路部と接続されている。文字または記号などの情報を表示するために必要な画素数は任意に設定すれば良いが、１０×１０個乃至２０×２０個、好適には１５×１５個程度の画素を設ければ良い。
【００１８】
ＥＬ表示装置と透光性のキー及びプリント基板との接続の詳細を図９に示す。ＥＬ表示装置は、基板２０１に画素部２０３、封止材２０２、入力端子２０８が設けられており、硬化性樹脂２３２で第２プリント基板２３０に固定されている。入力端子２０８は、プリント基板２３０に形成されている配線２３１との電気的な接続を、硬化性樹脂２３２に散布されている導電性粒子２３３を介して形成している。また、基板２０１と透光性のキー２２０も接着剤２２１により固定されている。
【００１９】
透光性のキーとＥＬ表示装置から成る入力キーを複数個配列させ、入力手段とする電子装置は、当該入力キーとファンクションキーが備えられ、利用者の操作により、ひらながを表示したり、数字を表示させたり自由に選択することができる。例えば、図３（Ａ）に示すように通常は数字を表しているものとする。この状態で入力キーを操作すると数字を入力することができる。利用者はファンクションキーとして設けられた表示変換キーの操作により図３（Ｂ）に示すようなひらがな表示や、図３（Ｃ）に示すようなアルファベット表示に変換することができる。
【００２０】
ひらがなやアルファベットの全てを限られた入力キーの数の中で表示することは不可能であるが、利用者は“＞”や“＜”のキーを操作して順次文字を送り出すことで表示させることができる。ＥＬ表示装置をカラー表示可能としておくと、入力キーに色の情報を付加することができる。その結果、利用者の好みに応じた色で表示させることや、着信時の呼び出し音と共に、登録されているグループ毎に表示の色を変えて、着信時の識別性を高めることもできる。
【００２１】
このような入力キーと変換キーを有する電子装置において、文字または数字などのデータを利用者が入力する手順を図２のフローチャートを用いて説明する。最初、電源投入時、或いはスタンバイモードから復帰した時に入力キーには所定の文字パターンが表示される。表示は図３で示すように数字またはひらがなまたはアルファベットであったりする。その表示に従い入力する場合には(Yes)の方向に進み、利用者はその中で選択した入力キーを押し、電話番号や伝言などの所定のデータを入力する。入力キーの操作は任意の回数であり、(Next)の方向に進み、この操作をｎ回繰り返す。所定のデータを入力し終わったら(End)の方向に進み、決定キーを押すと入力したデータを電子装置の記憶媒体に記憶させることができる。さらに入力を続けたい場合には(Next)の方向に進み同様の作業を繰り返す。また、終了する場合には(End)の方向に進み作業を終了させる。
【００２２】
文字パターン表示の段階で入力したい文字が表示されていない場合には(No)の方向に進み、表示変換のキーを操作する。その結果、文字パターンの表示が変化する。以降、同様な処理を行い所定のデータを入力することができる。
【００２３】
図６（Ａ）には表示用パネル３０１と操作用パネル３０２とを横方向に並べたときに、表示部３０４に表示される画像の方向と、操作キー３０６に表示される文字、数字、記号等の画像の方向とが、利用者側から見て本来の方向にある場合を示している。
【００２４】
図６（Ｂ）には表示用パネル３０１と操作用パネル３０２とを縦方向に並べたときに、表示部３０４に表示される画像の上下方向と、操作キー３０６に表示される文字、に表示される文字、数字、記号などの画像の上下方向とが利用者側から見て本来の方向にある場合を示している。
【００２５】
本発明の電子装置は、利用者の使い勝手に合わせて、表示部３０４に表示される画像の方向及び入力キー３０６に表示される文字、数字、記号などの画像の方向を図６（Ａ）に示す方向と、図６（Ｂ）に示す方向とに切り換えることが可能である。
【００２６】
図６（Ｂ）では表示部３０４に表示される画像の上下方向と、入力キー３０６に表示される文字、数字、記号などの画像の上下方向とが常に同じ場合について説明したが、このような表示方法に限定されるものではない。表示部３０４に表示される画像の上下方向と、入力キー３０６に表示される文字、数字、記号などの画像の上下方向とが異なっていても良い。尚、図６に示した入力キーが表示している文字、数字及び記号は一例であり、これらに限定されるものではない。
【００２７】
また、表示部３０４に表示される画像の方向と、操作キー３０６に表示される文字、数字、記号等の画像の方向とを、接続部３０３における表示用パネル３０１の表示部３０４を有する面と操作用パネル３０２の操作キー１０６を有する面との間の角度θによって自動的に変更するような構成にしても良い。
【００２８】
入力キーの操作は図４または図５で示すように、利き手の親指または人差し指で操作キーを操作する。図１で示すようなインターネットに接続可能な携帯電話装置では、一画面に表示可能な画像情報量を増加させ、高精細化するために表示装置の大型化が成されている。しかし、画面の見やすさが向上するにつれ、利用者本人以外の第３者が表示された情報を見ることが容易となり、プライバシーが保たれなくなる。
【００２９】
それに対し、図１で示す携帯電話装置の操作キー１０６及び表示装置１０４の配置は、図４または図５で示すように、操作キー１０６を操作しながら掌で表示装置１０４の画面をある程度覆い隠すことができるので、プライバシーを確保することができる。また、利用者にとっては安心感を持つことができる。
【００３０】
また、表示装置１０４にイメージセンサーまたはエリアセンサーを内蔵させ、手のひらを表示装置１０４に覆いかぶせるようにして使用することにより、掌の紋章（手相）を用いて本人認証を行うことができる。認証は操作キー１０６でキー操作を行うとともに、利用者の手相をセンサー内蔵表示装置が個体情報を読み取り、認証作業を行う。認証作業はセンサーが読み取った個体情報と、内蔵するフラッシュメモリーや不揮発性メモリーに記憶されている個体情報とを照合して行う。
【００３１】
このような使用方法による電子装置は、図７（Ａ）に示すように無線通信回線を使って入力キーから入力され電子装置４０１の記憶媒体に蓄えられた情報を送受信することができる。また、図７（Ｂ）で示すように、有線接続される電話回線により同様に電子装置４０２に記憶媒体の情報を送受信することができる。或いは、受信した情報を読み出すときにも本発明の電子装置の使用方法を採用することができる。
【００３２】
また、図１２に示すようにインターネットを介して他の電子装置に情報を送ることができる。図１２で示すようにインターネットに接続される電子装置としては、携帯電話装置１２０１、据置型電話装置１２０２、携帯電話装置１２０３、携帯型パーソナルコンピュータ１２０４、ディスクトップ型パーソナルコンピュータ１２０５、テレビ受像器１２０６などがある。勿論、その他の電子装置が接続されていても良い。インターネットに接続されているこれら電子装置の入力手段にも本明細書で述べる入力キーが設けられ、同様な使用方法を採用することができる。
【００３３】
図１１はこのような電子装置の構成の一例を説明するブロック図である。図１１で示すシステムにおいてキー入力部５２２には、入力キーを構成する要素として、ＥＬ表示装置５２３とキー入力検知部５２４が備えられている。ＣＰＵ５０６のキーボードインターフェイス部５０８はキーボードコントロール回路５２０を介してＥＬ表示装置５２３が表示する画像情報を制御する。また、変換キー５２５からの入力信号に応じてＥＬ表示装置が表示する文字を変換させる信号をコントロール回路に送る。
【００３４】
そして、キー入力検知手段５２４からの信号は、入力信号処理回路５２１を介してキーボードインターフェイス部５０８に入力し、ＣＰＵ５０６内部でデータ処理を行い、所定の情報をコントロール回路５１２に出力し、表示装置５１３にその情報を表示させたり送信をしたりする。その他の外部回路の構成は、安定化電源と高速高精度のオペアンプからなる電源回路５０４、音声処理回路５０２、外部インターフェイスポート５０５、送受信回路５１５などから成っている。また、ＣＰＵ５０６には映像信号処理回路５０７が内蔵されている。また、ＣＰＵ５０６にはＶＲＡＭ５１１、ＤＲＡＭ５０９、フラッシュメモリー５１０及びメモリーカード５０３が接続されている。ＣＰＵ５０３で処理された情報は、映像信号（データ信号）として映像信号処理回路５０７からコントロール回路５１２に出力する。コントロール回路５１２は、映像信号とクロックを表示装置５１３に供給する。具体的には、映像信号を表示装置の各画素に対応したデータに振り分ける機能と、外部から入力される水平同期信号及び垂直同期信号を、駆動回路のスタート信号及び内蔵電源回路の交流化のタイミング制御信号に変換する機能を持っている。
【００３５】
図７で示すように、本発明の電子装置は、操作キーに設けられた複数のＥＬ表示装置をＣＰＵが集中して管理して制御する構成をとっている。
【００３６】
ＥＬ表示装置の駆動方式は、単純マトリクス駆動、若しくはアクティブマトリクス駆動の何れを採用することも可能である。ＥＬ表示装置に設けられるＥＬ素子は、一対の電極（陽極と陰極）間に無機または有機ＥＬ材料（蛍光材料）から成る発光層を備えた構成をもっている。ＥＬ表示装置の画素部は特に限定されないが、１０×１０個乃至２０×２０個、好ましくは１５×１５個程度の画素をマトリクス状に配置して形成する。
【００３７】
以上の説明したように、本発明の電子装置の使用方法は、所定の情報を無線電話回線に送信する場合に、または所定の情報を有線接続された電話回線に送信する場合に、または所定の情報をインターネッットに送信する場合に活用することができる。
【００３８】
【実施例】
[実施例１]
図１３は本発明の電子装置の使用方法に適合し得る入力キー構成を説明する断面図である。図１３（Ａ）において、筐体６０１及び６２０の内側には、ガラスエポキシ樹脂またはセラミックで形成された第１プリント基板６０２があり各種回路が形成されている。その一方の面にはベースバンド部としてＣＰＵ（マイクロプロセッサ）やＤＳＰ（デジタル信号処理プロセッサ）、各種メモリー（フラッシュメモリーやＳＲＡＭ）などの信号処理回路や、ミキサや周波数シンセサイザなどを搭載した送受信回路部が形成されている。
【００３９】
筐体６０１の外側から認識可能な入力キーの透光性のキー６０３は透光性であり、その下部にはＥＬ表示装置６０４が設けられている。このＥＬ表示装置６０４は、可撓性を有する第２プリント基板６０５上に固定され、第２プリント基板６０５上に形成された回路の配線６０６と接続している。第１プリント基板６０１の回路と、第２プリント基板６０５の回路との接続形式は特に限定されないが、例えばＦＰＣ（フレキシブルプリント配線板：Flexible Printed Circuit）６１０を用いて接続しても良い。
【００４０】
第１プリント基板６０２と第２プリント基板６０５との間には、ダイアフラム６０８が固定されている可撓性シート６０７が設けられている。ダイアフラム６０８はアルミニウムや銅を主成分とする合金で形成され、導電性を持っている。ダイアフラム６０８はボタン６０３に対応して設けられ、一方、第１プリント基板６０２には、ダイアフラム６０８に対応して、電極６０９ａ、６０９ｂが設けられている。この電極６０９ａ、６０９ｂは前述の各種回路のうち、キー入力を検知する回路に接続している。
【００４１】
図１３（Ａ）で示すように、通常の状態ではダイアフラム６０８は一方の電極である６０９ａとのみ接触している。図１３（Ｂ）に示すように、使用者がボタン６０３を矢印の方向に押すと、第２プリント基板６０５、可撓性シート６０７、ダイアフラム６０８は共に変形し、ダイアフラム６０８は電極６０９ａと６０９ｂの両方と接触し導通がとれる。このようにして、ボタン操作の有無を検知して入力情報を得る。
【００４２】
図１４は透光性のキー６０３、ＥＬ表示装置６０４、配線６０６が形成されている第２プリント基板６０５の上面図である。ＥＬ表示装置６０４はアクティブマトリクス駆動または単純マトリクス駆動のいずれの方式を採用しても良い。図１４ではアクティブマトリクス駆動の例を示し、ＥＬ表示装置の画素部に合わせて透光性のキー６０３を固定している。第２プリント基板６０５の端部には接続用の端子６１１が備えられている。
【００４３】
図１３及び図１４で示す構成の入力キーは、ＥＬ表示装置が表示する文字、数字、記号などの画像情報を透光性キーを通して利用者が認識し、前記入力キーに表示された画像情報に従い、所定の情報を電子装置に入力することができる。前述のように、ＥＬ表示装置が示す画像情報を利用者の意志により切り換える手段を設ければ、より多くの情報をスムーズに電子装置に入力し、電子装置に備えた記憶媒体に保存することが可能となる。
【００４４】
[実施例２]
本実施例は実施例１と異なる入力キー、若しくは当該入力キーを配列させたキーボードの構成を図１５と図１６を用いて説明する。図１５（Ａ）において、筐体７０１及び７２０で囲まれる領域には、ガラスエポキシ樹脂またはセラミックで形成された第１プリント基板７０２があり各種回路が形成されている。第１プリント基板７０２の一方の面にはベースバンド部としてＣＰＵ（マイクロプロセッサ）やＤＳＰ（デジタル信号処理プロセッサ）、各種メモリー（フラッシュメモリーやＳＲＡＭ）などの信号処理回路や、ミキサや周波数シンセサイザなどを搭載した送受信回路部が形成されている。
【００４５】
筐体７０１の外側から認識可能な透光性のキー７０３は透光性であり、透光性の第１の可撓性シート７０４に固定されている。さらに、ダイアフラム７０８が固定されている透光性の第２の可撓性シート７０５が設けられている。ダイアフラム７０８は透光性のキー７０３の位置に合わせて設置され、透光性と可撓性を有する有機樹脂材料の表面をＩＴＯ（酸化インジウム・スズ合金）などの透明導電膜材料で被覆して形成されている。
【００４６】
第２の可撓性シート７０７の下には、ダイアフラム７０８の位置に合わせてコプレーナ電極７０９ａ、７０９ｂが形成された第２プリント基板７０６が設けられている。この第２プリント基板７０６も透光性部材で形成され、コプレーナ電極７０９ａ、７０９ｂは透明導電膜で形成されている。
【００４７】
その下部に、ＥＬ表示装置７１０が設けられている。このＥＬ表示装置７１０には、透光性基板上に透光性の入力キー７０３の位置に合わせて画素部７１１が形成され、当該画素部の周辺に駆動回路７１２が設けられている。ＥＬ素子は湿気に弱いので、封止材７１３により封止されている。ＥＬ表示装置と第１のプリント基板７０２との接続形式は特に限定されないが、ＥＬ表示装置の入力端子部においてＦＰＣ７１６を用いて接続しても良い。その他の手段として、第１のプリント基板のスプリングプローブを設け、機械的に接触させ入力端子７１４とコンタクトを形成しても良い。また、第１プリント基板７０２と第２プリント基板７０６との接続も同様に、出力端子部においてＦＰＣ７１５を用いて接続することができる。
【００４８】
図１５（Ａ）で示すように、通常の状態ではダイアフラム７０８は一方の電極である７０９ａとのみ接触している。図１５（Ｂ）に示すように、使用者がボタン７０３を矢印の方向に押すと、第１の可撓性シート７０４、第２の可撓性シート７０５、ダイアフラム７０８が変形し、ダイアフラム７０８は電極７０９ａと７０９ｂの両方と接触することにより導通がとれる。このようにして、キー操作の有無を検知して入力情報を得る。
【００４９】
図１６は図１５で示す電子装置の組立図を示し、便宜上同じ符号を用いて示している。ＥＬ表示装置の画素部で表示された画像情報は、第２のプリント基板、コプレーナ電極７０９ａまたは７０９ｂ、ダイアフラム７０８、第２の可撓性シート７０５、第１の可撓性シート７０４、透光性のキーを通して利用者が認識することができる。これらの部材を全て透光性材料で形成することにより、ＥＬ表示装置の画素部で発光した光は透過して、電子装置の外部から認識することが可能となる。
【００５０】
このような形態の電子装置においても、同様にＥＬ表示装置が表示する文字、数字、記号などの画像情報を透光性キーを通して利用者が認識し、前記入力キーに表示された画像情報に従い、所定の情報を電子装置に入力することができる。前述のように、ＥＬ表示装置が示す画像情報を利用者の意志により切り換える手段を設ければ、より多くの情報をスムーズに電子装置に入力し、電子装置に備えた記憶媒体に保存することが可能となる。
【００５１】
【発明の効果】
本発明の電子装置の使用方法は、文字、記号、数字等を入力するための入力キーにＥＬ表示装置が設けられ、当該ＥＬ表示装置によって表示される文字、記号、数字等の画像で、利用者が入力キーを識別することを可能とし、このような入力キーを用いることにより、所定のデータを電子装置に、または記憶媒体に入力する際に利便性を高めることができる。
【００５２】
さらに、本発明は、電子装置の入力キー自体に画像情報を表示する手段が設けられ、利用者はその画像情報に従ってデータなどの入力作業を行えば良いので、複雑なキー操作を必要としない。特に、本発明は携帯型の電子装置など、外形寸法が制限され、入力キーの数が限られている場合に、その利便性を著しく高めることができる。本発明を用いれば、複雑な操作をとかく敬遠する高齢者も、苦労せずして電子装置を操作することができるはずである。
【図面の簡単な説明】
【図１】  携帯型の電子装置の一例を説明する図。
【図２】  本発明の電子装置の使用方法を説明するフローチャート。
【図３】  本発明における電子装置の操作パネルの拡大図。
【図４】  本発明を用いた携帯型の電子装置の操作形態について説明する図。
【図５】  本発明を用いた携帯型の電子装置の操作形態について説明する図。
【図６】  本発明を用いた携帯型の電子装置の外観図。
【図７】  本発明の電子装置の利用形態を説明する図。
【図８】  本発明における電子装置の操作キーの構成を説明する図。
【図９】  本発明における電子装置の操作キーの構成を説明する図。
【図１０】  ＥＬ表示装置の外観を示す斜視図。
【図１１】  電子装置の構成の一例を説明するブロック図。
【図１２】  本発明の電子装置の利用形態を説明する図。
【図１３】  電子装置の入力キーの構成を説明する図。
【図１４】  電子装置の入力キーの構成を説明する図。
【図１５】  電子装置の入力キーの構成を説明する図。
【図１６】  電子装置の入力キーの組み立て図を示す図。
【図１】
0004693217.tif 000002
【図２】
0004693217.tif 000003
【図３】
0004693217.tif 000004
【図４】
0004693217.tif 000005
【図５】
0004693217.tif 000006
【図６】
0004693217.tif 000007
【図７】
0004693217.tif 000008
【図８】
0004693217.tif 000009
【図９】
0004693217.tif 000010
【図１０】
0004693217.tif 000011
【図１１】
0004693217.tif 000012
【図１２】
0004693217.tif 000013
【図１３】
0004693217.tif 000014
【図１４】
0004693217.tif 000015
【図１５】
0004693217.tif 000016
【図１６】
0004693217.tif 000017